(57)【要約】【課題】光硬化性のインクを使用したインクジェット記録装置において、硬化不良による印刷不良を防止し信頼性を向上する。これにより比較的低出力の光源により硬化する硬化感度の高いカチオン重合系インクの実用化を図り、装置の小型化、装置の製造コストの低減を図る。【解決手段】インクジェットヘッド１から吐出され記録媒体に付着したインクを硬化させる光を発する光源２と、光源２の光量を測定する光量測定センサ３と、光量測定センサ３による測定結果に応じて光源２の光量を制御する光源制御手段４とを構成する。また、光量測定センサ３による測定不調を防止するため、光量測定センサ３の受光面への汚れの付着を防止する交換可能なカバー７を透明の板、フィルム、巻取り可能なシート等で設けた。その他、光源走査手段や光量測定センサ３の走査手段を設けて少ない光量測定センサ３により多数の光源の光量測定を可能とする。【選択図】  図１
2004188929.tif 000002
【特許請求の範囲】
【請求項１】
複数の吐出口からインクを吐出するインクジェット方式の記録ヘッドと、
前記記録ヘッドから吐出され記録媒体に付着したインクを硬化させる光を発する光源と、
前記光源の光量を測定する光量測定センサと、
前記光量測定センサによる測定結果に応じて前記光源の光量を制御する光源制御手段と、
前記光量測定センサの受光面を覆って交換可能に設置され、少なくとも前記光源の光が前記受光面へ入射することを可能とする光透過性を有し、前記受光面への汚れの付着を防止するカバーとを有することを特徴とするインクジェット記録装置。
【請求項２】
前記カバーを移動させることにより前記カバーの前記受光面を覆っている部分を同一カバーの新規な部分に置換えるカバー移動装置を有することを特徴とする請求項１記載のインクジェット記録装置。
【請求項３】
前記記録媒体の搬送方向に対し垂直な方向に前記光源を移動させて前記記録媒体上の前記光源の走査を行う光源走査手段を有し、
前記光源が、前記垂直な方向について異なる位置に複数設けられており、
前記光源走査手段が異なる光源を前記光量測定センサの測定領域に順次移動させることにより前記複数の光源の光量を前記光量測定センサが順次測定することを特徴とする請求項１又は請求項２記載のインクジェット記録装置。
【請求項４】
前記記録媒体の搬送方向に対し垂直な方向に前記記録ヘッドを移動させて前記記録媒体上の前記記録ヘッドの走査を行う記録ヘッド走査手段を有し、
前記光源を前記記録ヘッドとともに前記記録ヘッド走査手段によって移動させることにより前記光源走査手段が構成されたことを特徴とする請求項３載のインクジェット記録装置。
【請求項５】
前記光源が複数設けられ、
前記光量測定センサを移動させることにより前記複数の光源を前記光量測定センサにより順次測定する走査手段を有することを特徴とする請求項１から請求項４のうちいずれか一に記載のインクジェット記録装置。
【請求項６】
前記光源が、前記記録媒体の搬送方向について異なる位置に複数設けられており、
前記光量測定センサを前記記録媒体の搬送方向に移動させることにより前記複数の光源を前記光量測定センサにより順次測定する走査手段を有することを特徴とする請求項１から請求項５のうちいずれか一に記載のインクジェット記録装置。
【請求項７】
前記光源制御手段が制御する光量の目標値を記憶する記憶手段と、
前記光量測定センサによる測定結果が前記目標値未満のとき、その測定結果をユーザに通知する通知手段と有することを特徴とする請求項１から請求項６のうちいずれか一に記載のインクジェット記録装置。
【請求項８】
ユーザの操作に基づいて動作禁止指示を入力する操作入力手段を有し、
前記操作入力手段によって前記動作禁止指示が入力されたとき、前記記録ヘッドによる記録動作を禁止することを特徴とする請求項７記載のインクジェット記録装置。
【請求項９】
前記光源制御手段が制御する光量の目標値を記憶する記憶手段を有し、
前記光量測定センサによる測定結果が前記目標値未満のとき、前記記録ヘッドによる記録動作を禁止することを特徴とする請求項１から請求項７のうちいずれか一に記載のインクジェット記録装置。
【請求項１０】
前記インクを硬化させる光を紫外線とすることを特徴とする請求項１から請求項９のうちいずれか一に記載のインクジェット記録装置。
【請求項１１】
前記インクとしてカチオン重合系のインクを用いることを特徴とする請求項１から請求項１０のうちいずれか一に記載のインクジェット記録装置。
【請求項１２】
前記カバーがガラス板であることを特徴とする請求項１から請求項１１のうちいずれか一に記載のインクジェット記録装置。
【請求項１３】
前記カバーが樹脂製板又は樹脂製フィルムであることを特徴とする請求項１から請求項１１のうちいずれか一に記載のインクジェット記録装置。
【請求項１４】
前記カバーが巻取り可能なシート部材であることを特徴とする請求項１から請求項１１のうちいずれか一に記載のインクジェット記録装置。
【発明の詳細な説明】
【０００１】
【発明の属する技術分野】
本発明は、光硬化性のインクを使用したインクジェット記録装置に関する。
【０００２】
【従来の技術】
一般に、インクジェット記録装置は印刷時の騒音が比較的小さく、印字の品質が良好であるため、現在、数多く使用されている。
インクジェット記録装置は、例えばピエゾ素子やヒータ素子等を用いて、記録ヘッドのノズルからインクを微小な液滴として紙等の記録媒体に向けて吐出し、該記録媒体にインクを浸透若しくは定着させながら、記録ヘッドと記録媒体の相対的な位置を移動させることにより、該記録媒体に画像を形成する。
インクジェット記録装置には、例えば、記録媒体上で記録ヘッドを往復移動させ、記録ヘッドの走査方向と直交する方向に記録媒体を搬送させることにより画像を形成するシリアルヘッド方式のものや、記録媒体の記録幅にわたるノズル列を有して固定された記録ヘッドを持ち、記録媒体を前記記録幅の方向と垂直方向に搬送させることにより画像を形成するラインヘッド方式のものがある。
【０００３】
現在、商品や商品の包装材への印刷等の分野では、少量生産のニーズが高まっており、グラビア印刷方式やフレキソ印刷方式など製版を必要とする方式に比して少量を低コストに生産できるインクジェット方式の利用が展開している。
良く知られるように商品や商品の包装材には樹脂や金属などのインク吸収性のない素材が用いられることが少なくない。
このようなインク吸収性のない素材を記録媒体とするとき、記録媒体へのインクの定着を可能とするため、高粘度の光硬化性のインクを記録媒体上に吐出して付着させた後、紫外線等の光を照射することでインクを硬化定着させる光硬化方式のインクジェット記録装置が開発されている。
【０００４】
従来、このような光硬化方式のインクジェット記録装置として、ラジカル重合系のインクを用い、多量の紫外線を一括に照射する構成とした紫外線硬化型のインクジェット記録装置が実用されている。また光源としては、レーザ光線等の指向性のある光を照射する光源を用いることが提案されている（例えば、特許文献１参照。）。具体的に、指向性のある光を照射する光源としては、半導体レーザや発光ダイオード等が知られている。
半導体レーザや発光ダイオードを用いることによって、照射の際の発熱量が小さくなり、消費電力が低減される。また、蛍光管や高圧水銀灯と比較して、光源ユニットが小型化される。また、半導体レーザや発光ダイオードは、安定性が良いとともに光の強度の調整が容易である。
【０００５】
【特許文献１】
特開２００１−３１０４５４号公報（第４頁）
【０００６】
【発明が解決しようとする課題】
しかし、以上の従来技術においては次のような問題があった。
【０００７】
ラジカル重合系のインクを用いると、比較的多量の紫外線照射が必要となる。そのため、高出力の光源装置を搭載することとなって装置の長大化、装置の製造コストの増大を招くという問題がある。
かかる問題を解決するため、現在実用化されていないカチオン重合系のインクの採用することが考えられる。しかし、カチオン重合系のインクは湿度依存性等の不安定な物性があるとともに、反射光等の弱い光により硬化反応する物性があるため取り扱いが難しく、実用化を困難にさせている。
例えば、光源の長期使用による劣化によってインクへの照度が低下したり、装置の小型化等の要請により光源を記録ヘッドに近づければ近づけるほど、インクミストによる照度の低下の影響が生じる。このような状況下で、上記物性のカチオン重合系のインクを用いれば、硬化不良を起こしやすく実用の域に達しない。
【０００８】
本発明は以上の従来技術における問題に鑑みてなされたものであって、光硬化性のインクを使用したインクジェット記録装置において、硬化不良による印刷不良を防止することにより装置の信頼性を向上し、これにより比較的低出力の光源により硬化する硬化感度の高いインクの実用化をも可能とすることにより、装置の小型化、装置の製造コストの低減を図ることを課題とする。
また、本発明においては光量測定センサの採用を試みるが、その光量測定センサの測定部（受光面）に付着する汚れによる測定精度の低下を防止することを課題とする。
【０００９】
【課題を解決するための手段】
以上の課題を解決するための請求項１記載の発明は、複数の吐出口からインクを吐出するインクジェット方式の記録ヘッドと、
前記記録ヘッドから吐出され記録媒体に付着したインクを硬化させる光を発する光源と、
前記光源の光量を測定する光量測定センサと、
前記光量測定センサによる測定結果に応じて前記光源の光量を制御する光源制御手段と、
前記光量測定センサの受光面を覆って交換可能に設置され、少なくとも前記光源の光が前記受光面へ入射することを可能とする光透過性を有し、前記受光面への汚れの付着を防止するカバーとを有することを特徴とするインクジェット記録装置である。
【００１０】
請求項２記載の発明は、前記カバーを移動させることにより前記カバーの前記受光面を覆っている部分を同一カバーの新規な部分に置換えるカバー移動装置を有することを特徴とする請求項１記載のインクジェット記録装置である。
【００１１】
請求項３記載の発明は、前記記録媒体の搬送方向に対し垂直な方向に前記光源を移動させて前記記録媒体上の前記光源の走査を行う光源走査手段を有し、
前記光源が、前記垂直な方向について異なる位置に複数設けられており、
前記光源走査手段が異なる光源を前記光量測定センサの測定領域に順次移動させることにより前記複数の光源の光量を前記光量測定センサが順次測定することを特徴とする請求項１又は請求項２記載のインクジェット記録装置である。
【００１２】
請求項４記載の発明は、前記記録媒体の搬送方向に対し垂直な方向に前記記録ヘッドを移動させて前記記録媒体上の前記記録ヘッドの走査を行う記録ヘッド走査手段を有し、
前記光源を前記記録ヘッドとともに前記記録ヘッド走査手段によって移動させることにより前記光源走査手段が構成されたことを特徴とする請求項３載のインクジェット記録装置である。
【００１３】
請求項５記載の発明は、前記光源が複数設けられ、
前記光量測定センサを移動させることにより前記複数の光源を前記光量測定センサにより順次測定する走査手段を有することを特徴とする請求項１から請求項４のうちいずれか一に記載のインクジェット記録装置である。
【００１４】
請求項６記載の発明は、前記光源が、前記記録媒体の搬送方向について異なる位置に複数設けられており、
前記光量測定センサを前記記録媒体の搬送方向に移動させることにより前記複数の光源を前記光量測定センサにより順次測定する走査手段を有することを特徴とする請求項１から請求項５のうちいずれか一に記載のインクジェット記録装置である。
【００１５】
請求項７記載の発明は、前記光源制御手段が制御する光量の目標値を記憶する記憶手段と、
前記光量測定センサによる測定結果が前記目標値未満のとき、その測定結果をユーザに通知する通知手段と有することを特徴とする請求項１から請求項６のうちいずれか一に記載のインクジェット記録装置である。
【００１６】
請求項８記載の発明は、ユーザの操作に基づいて動作禁止指示を入力する操作入力手段を有し、
前記操作入力手段によって前記動作禁止指示が入力されたとき、前記記録ヘッドによる記録動作を禁止することを特徴とする請求項７記載のインクジェット記録装置である。
【００１７】
請求項９記載の発明は、前記光源制御手段が制御する光量の目標値を記憶する記憶手段を有し、
前記光量測定センサによる測定結果が前記目標値未満のとき、前記記録ヘッドによる記録動作を禁止することを特徴とする請求項１から請求項７のうちいずれか一に記載のインクジェット記録装置である。
【００１８】
請求項１０記載の発明は、前記インクを硬化させる光を紫外線とすることを特徴とする請求項１から請求項９のうちいずれか一に記載のインクジェット記録装置である。
【００１９】
請求項１１記載の発明は、前記インクとしてカチオン重合系のインクを用いることを特徴とする請求項１から請求項１０のうちいずれか一に記載のインクジェット記録装置である。
【００２０】
請求項１２記載の発明は、前記カバーがガラス板であることを特徴とする請求項１から請求項１１のうちいずれか一に記載のインクジェット記録装置である。
【００２１】
請求項１３記載の発明は、前記カバーが樹脂製板又は樹脂製フィルムであることを特徴とする請求項１から請求項１１のうちいずれか一に記載のインクジェット記録装置である。
【００２２】
請求項１４記載の発明は、前記カバーが巻取り可能なシート部材であることを特徴とする請求項１から請求項１１のうちいずれか一に記載のインクジェット記録装置である。
【００２３】
【発明の実施の形態】
以下に本発明の一実施形態につき図面を参照して説明する。以下は本発明の一実施形態であって本発明を限定するものではない。
【００２４】
〔第１の実施形態〕
まず、本発明の第１の実施形態につき図１を参照して説明する。図１は本発明の第１の実施形態のインクジェット記録装置を示す断面図である。
【００２５】
図１(a)及び(b)に示すように本実施形態のインクジェット記録装置は、インクジェットヘッド１と、光源装置２と、光量測定センサ３と、制御手段４と、表示手段５と、プラテン６と、カバー７と、操作入力手段８とを備え、シリアルヘッド方式のインクジェット記録装置を構成する。
【００２６】
インクジェットヘッド１は、複数の吐出口からインクを吐出するインクジェット方式の記録ヘッドであり、周知のものを用いる。インクジェットヘッド１は、図示しないキャリッジに搭載されて主走査方向Ａに往復移動させられることによりプラテン６上に沿って搬送される紙、フィルム等の記録媒体上を走査する。
ここで、図１において紙面に垂直の方向が記録媒体（図示せず）の搬送方向Ｈとなる。
記録媒体の搬送方向Ｈに対し垂直な方向（＝主走査方向Ａ）にインクジェットヘッド１を移動させて記録媒体上のインクジェットヘッド１の走査を行う記録ヘッド走査手段が、キャリッジとこれを直線往復移動させる周知の機構を用いて構成される。
【００２７】
光源装置２は、インクジェットヘッド１から吐出され記録媒体に付着したインクを硬化させる紫外線を発する光源として半導体レーザや発光ダイオードを複数備えて構成され、周知のものを用いる。光源として蛍光灯を用いても良い。光源装置２は、インクジェットヘッド１と共にキャリッジに搭載されることによりインクジェットヘッド１と共に移動する。インクとしては、紫外線硬化性のカチオン重合系のインクを用いる。記録媒体としてはインク吸収性のない樹脂フィルムを用いる。
このようにして、記録媒体の搬送方向Ｈに対し垂直な方向（＝主走査方向Ａ）に光源装置２を移動させて記録媒体上の光源の走査を行う光源走査手段が構成される。すなわち、本実施形態においては、光源装置２をインクジェットヘッド１とともに記録ヘッド走査手段によって移動させることにより光源走査手段を構成する。このようにすれば、光源装置２を移動させるための別個の機構などを要しない。
【００２８】
光量測定センサ３は、光源装置２に備えられた光源の光量を測定する光センサであり、周知のものを用いる。
制御手段４は、例えば、コンピュータとコンピュータ上で実行されるプログラムとで構成され、周知のものを用いる。
表示手段５は、画像表示するならば液晶表示装置等の画像表示装置により構成し、必要に応じて音表示するための発声器を付加して構成する。本実施形態においては画像表示及び音表示の双方を実施可能に構成することとする。
【００２９】
プラテン６は、記録媒体の搬送位置を所定位置に保つことにより、記録媒体と記録ヘッドとの対向距離、すなわち、インク飛翔距離を一定にするための部材であり、周知のものを用いる。
【００３０】
カバー７は、ガラス板や、樹脂製板、樹脂製フィルム、巻取り可能な樹脂製シート部材などとされ、光量測定センサ３の受光面への汚れの付着を防止するために光量測定センサ３の受光面を覆うように設置される。一般的にガラス部材は光の透過率が高いため、より正確な光量測定が可能となる。一般的に樹脂材料は軽く、薄い形状の加工が可能であるため、製造上取り扱いが容易となる。
光源と光量測定センサ３の間にプラテンが介在する構造となる場合には、プラテンを透明のガラス、樹脂などの透明部材により構成する。この場合、カバー７はプラテン上に設置し、汚れの付着を防止すべき「光量測定センサの受光面」はプラテンの表面に形成される。このように本願特許請求に係る発明において「光量測定センサの受光面」は部品としての光量測定センサの受光面そのものでない場合がある。部品としての光量測定センサがケースに収納されるなどして汚れの原因物から既に隔絶された構造に組立てられる場合に、部品としての光量測定センサの受光面そのものをカバー７により覆っても意味がないからである。将来、各当業者によって具現化される多種多様のインクジェット記録装置において、当業者は、汚れの付着を防止すべき「光量測定センサの受光面」がどこに形成されるかを判断することができる。汚れの付着を防止すべき「光量測定センサの受光面」は１箇所に限らず２箇所以上に形成される場合もあるであろう。より優先すべきはインクミストが付着しやすい面である。光量測定の度に付着したインクミストに光が照射され硬化して除去し難くなるからである。
【００３１】
光量測定センサの周囲にはインクミストその他の塵埃が飛散する場合がある。カバー７はこれらの飛散物等の汚れの原因物を遮断し、光量測定センサ３の受光面へ付着するのを未然に防ぐ。
カバー７自体が汚れた場合は、これを交換する必要が生じる。したがって、カバー７はその表面に汚れの原因物が付着し難い性質のものが好ましい。カバー７が汚れ難いものであれば、交換時期を長期にすることができる。
【００３２】
またカバー７としては、少なくとも光源装置２に備えられた光源の光が光量測定センサ３の受光面へ入射することを可能とする光透過性を有するものを用いる。好ましくは光透過性の良いもの用いる、すなわち、カバー７によって光量測定センサ３への光の入力量が減衰しないように透明度の高いものを用いる。光量測定センサ３による光量測定を維持向上するためである。例えば、透明のガラスや透明の樹脂を材料とする。但し、光量測定センサ３の採光を邪魔しない受光面周囲の部分は、他の必要性により不透明としても良い。すなわち、光量測定センサ３による光量測定に影響しなければ良い。また本実施形態ではインクを硬化させる光として紫外線を採用するから紫外線の透過特性のみ高く、他の光をカットする性質のものも使用できる。
【００３３】
またカバー７は、交換容易、且つインクジェット記録装置の稼動時にはその振動などによっては容易に動かないように設置される。例えば、カバー７をガラス板や樹脂製板等の板状部材とする場合は、スライド溝を設けてこれにカバー７を嵌め、スライド動作によりカバー７の着脱を容易にし、稼動時にはスライド溝によって不都合な位置ずれが起こらないように保持する。また、カバー７をフィルム状部材とする場合には、カバー７を保持する爪を設けても良い。フィルム状のカバー７を撓ませることにより容易に着脱が可能となる。
【００３４】
操作入力手段８は、押下又はタッチ操作により操作可能な周知の操作パネルであり、インクジェット記録装置の制御部にユーザからの動作指示を入力する。
【００３５】
次に、カバー７の交換の形態について説明する。上述したように一回使い切りの板状部材やフィルム状部材とする場合は、ユーザがこれを交換する。
他の実施形態として図１(c)に示すように、カバー移動装置としての巻取り装置９を用いることができる。この場合、カバーとして巻取り可能なシート状長尺部材（以下「カバーシート」という。）７ａを採用する。巻取り装置９によってカバーシート７ａを巻き取る。このようにしてカバーシート７ａを移動させることによりカバーシート７ａの光量測定センサ３の受光面を覆っている部分を同一カバーシート７ａの新規な部分に置換えることができる。この巻取り装置９をインクジェット記録装置の中央制御部で制御することにより適時に自動的に巻き取ることが可能となる。巻取り装置９は、周知の機構と駆動源と制御手段により容易に構成することができる。
【００３６】
次ぎに本実施形態における光源制御動作につき説明する。
まず、インクジェットヘッド１による記録動作前、又は記録動作間において、図１(b)に示すように、光源装置２を記録領域Ｂに隣接する測定領域Ｃに移動させ、光源装置２に備えられた光源の光量を光量測定センサ３により測定可能な位置に配置する。
次ぎに、光量測定センサ３により光源装置２に備えられた光源の光量を測定する。
次ぎに、少なくとも記録媒体に付着したインクへの光照射時において制御手段４は光量測定センサ３による測定結果を受けて、これに応じて光源装置２に備えられた光源の光量を制御する。すなわち、測定値が目標値を超える範囲に維持されるように制御する。目標値は、使用するカチオン重合系インクの硬化特性や、記録媒体へのインク液滴の着弾量などの諸条件を考慮して計算し、或いは実験的に求めて、インクの硬化に必要な光量に設定し、図示しない記憶手段に記憶される。制御手段４は記憶手段から目標値を読み出して制御する。
また、カバー７の光量測定センサ３の受光面を覆う部分が汚れたために、光量測定センサ３が適切な光量測定を行えなくなった場合は、カバー７を新しいきれいなものに交換することにより、又はカバーシート７ａを巻き取ることによりカバーシート７ａの新規面で前記受光面を覆ってから、光量測定を行う。これにより測定結果の信頼性が向上し、制御手段４による光量制御が適正化する。すなわち、汚れを原因として測定値が下がった場合に光源装置４の出力を上げるように制御すると、光源装置４が過剰な光量をインクに照射していまうが、これが防がれる。
【００３７】
以上の制御を例えば図２に示すフローチャートに従って行う。
すなわち図２に示すように、光量測定が開始されると、制御手段４は目標光量値Ｐ０をメモリから読み込む（ステップＳ１）。
次にメモリに保持された光源別駆動値―光量テーブル１２を参照して目標光量値Ｐ０に対応する各光源の光源駆動値を得て光源毎に光源駆動値を変化させて測定光量値Ｐ１を得る（ステップＳ２）。
次ぎに、光源毎に目標光量値Ｐ０と測定光量値Ｐ１を比較して（ステップＳ３）、測定光量値Ｐ１が目標光量値Ｐ０を超えていれば、光量が目標光量値Ｐ０以上となるように各光源の光源駆動値を決定する（ステップＳ５）。さらに処理を終了し、印字動作に移行する（ステップＳ６）。
【００３８】
一方、ステップＳ３において、測定光量値Ｐ１が目標光量値Ｐ０を超えていなければ、制御手段４はエラー処理Ｓ４を行う。
【００３９】
（エラー処理Ｓ４のパターン１）
エラー処理Ｓ４のパターン１として、光量の測定結果を表示手段５によってユーザに通知する警告表示を行う。例えば、発声器により測定光量不足専用の警告音を発生させるとともに、画像表示装置上に測定値を表示する。併せて測定光量値が不足した旨を表示するとよい。これにより測定結果をユーザに通知することができる。測定光量値が不足した場合は、次の二つの可能性がある。
f-1.実際に光源が劣化もしくは、光源の発光面が汚れている。
f-2.光源測定部の受光面が汚れている。
上記f-1,f-2の可能性があるので、表示手段５によってその旨を表示するようにすることが好ましい。ユーザは光源の発光面の汚れ、光源測定部の受光面の汚れ確認し、光源測定部の受光面が汚れていると判断したら（実際にはカバー７が汚れている。）、カバー７を交換することにより上記f-2の可能性を取り除くことができる。なお、ユーザ自身が汚れを判断できない場合でも、カバー７をクリーンなものに交換することにより上記f-2の可能性を取り除くことができる。ユーザはカバー７の交換後、再測定の指示を操作入力手段８を介して入力することができる。再測定の指示が入力されると制御手段４は再び図２に示した光量測定の処理フローを実行する。再測定の結果、測定光量不足のエラーが解消する場合がある。
一方、ユーザは操作入力手段８を操作して動作禁止指示を入力することができる。動作禁止指示が入力されると、制御手段４はインクジェットヘッド１による記録動作を禁止する。すなわち、インクジェットヘッド１の記録動作の開始を禁止し、仮に記録動作中の測定であれば記録動作を停止する。上記の再測定の結果、測定光量不足のエラーが解消しない場合、ユーザとしては、動作禁止指示を入力して、光源装置２の清掃、部品交換などのメンテナンスを自ら行うか専門業者に依頼する必要性を帯びる。
動作禁止指示が操作入力されない限り制御手段４はインクジェットヘッド１による記録動作を許可する。
したがってエラー処理Ｓ４のパターン１によれば、記録動作を続行させるか否かをユーザに選択させることができる。例えば、ユーザはインクジェット記録装置が出力した印刷物のインク硬化具合を確認し、インク硬化が十分と判断すれば動作禁止指示入力操作を行わずに記録動作を続行させることができる。インク硬化が不十分と判断すればユーザは記録動作を停止させることができる。インク硬化が不十分と判断してもユーザは記録動作を続行させることができ、自ら他の光源の光を当てるなど処置を採ることができる。
【００４０】
（エラー処理Ｓ４のパターン２）
さらに他の場合（エラー処理Ｓ４のパターン２）として制御手段４は次のようなエラー処理Ｓ４を行う。ステップＳ３において測定光量値Ｐ１が目標光量値Ｐ０を超えていなければ、インクジェットヘッド１による記録動作を禁止する。すなわち、インクジェットヘッド１の記録動作の開始を禁止し、仮に記録動作中の測定であれば記録動作を停止して、上記表示手段５によるユーザへの通知を実行する。これにより未硬化のインクが残った印刷物の出力を阻止でき、ユーザがそのようなミスプリントを知らずに手にすることが防止され、インクジェット記録装置の信頼性が向上する。なお、記録動作中の停止は一頁の出力後としても良い。
エラー処理Ｓ４のパターン１によれば、ユーザが警告表示に気が付かない場合、インク未硬化のおそれのある印刷物を大量に出力してしまう可能性がある。しかし、エラー処理Ｓ４のパターン２によれば、自ら記録動作を禁止又は終了するので、インク未硬化のおそれのある印刷物を大量に出力してしまうことは防がれる。
ユーザとしては、上記f-1,f-2の可能性を踏まえた対応の必要性を帯びる。すなわち、カバー７の交換及びその後の光量再測定、並びに再測定後に測定光量不足のエラーが解消しない場合における光源装置２の清掃、部品交換などのメンテナンスの必要性を帯びる。
【００４１】
（エラー処理Ｓ４のパターン３）
さらに他の場合（エラー処理Ｓ４のパターン３）として制御手段４は次のようなエラー処理Ｓ４を行う。ステップＳ３において測定光量値Ｐ１が目標光量値Ｐ０を超えていなければ、巻取り装置９を駆動してカバーシート７ａを巻き取り、カバーシート７ａの新規面で光量測定センサ３の受光面を覆ってから、ステップＳ１に再帰し光量を再測定する。この再測定は一回のみとする。一回再測定すれば測定光量値の低下はカバーシート７ａの汚れが原因ではないと推定できるからである。すなわち、上記f-2の可能性は取り除かれているからである。再測定後、ステップＳ３を経て再びエラー処理Ｓ４に至った場合、制御手段４は光量の測定結果と共に上記f-1の可能性があること表示手段５によって表示する。同時に、エラー処理Ｓ４のパターン２と同様にしてインクジェットヘッド１による記録動作を禁止する処理を行うと良い。ユーザとしては、上記f-1の可能性を踏まえた対応の必要性を帯びる。すなわち、光源装置２の清掃、部品交換などのメンテナンスの必要性を帯びる。
エラー処理Ｓ４のパターン３によれば、測定結果の信頼性が向上し、制御手段４による光量制御が適正化するとともに、ユーザによる光量測定センサ受光面の清掃負担が軽減される。
なお、エラー処理Ｓ４のパターン１〜３のそれぞれにおける記録動作の禁止は操作入力手段８を介したユーザからの操作入力によって解除可能なものとしておく。記録動作の再開を可能とするためである。
【００４２】
一方、図１(a)(b)に示すように本実施形態はインクジェットヘッド１が４つ備えられる例であり、光源装置２が単一で４つのインクジェットヘッド１の搭載範囲外に光源装置２が配置される例である。
光源装置２に設けられる光源が、記録媒体搬送方向Ｈについて同位置で主走査方向Ａについて異なる位置に複数設けられている場合には、上述したようにインクジェットヘッド１の走査手段と共用された光源走査手段により異なる光源を光量測定センサ３の測定領域Ｃに順次移動させて、複数の光源の光量を光量測定センサ３が順次測定する。これにより、すべての光源の測定を実行する。したがって、異なる光源を同一の光量測定センサ３で測定するので、光量測定センサ３の個数を光源の数より少なくすることができ、装置の簡素化、小型化が図られる。
【００４３】
以上の実施形態によれば、光源の光量を測定することが可能になり、インクを硬化させるために必要な光量が記録媒体上のインクに与えられる否か、予め検知することができ、しかも光量センサ側の汚れに依存する光源制御不調要因をカバー７によって容易に払拭できるため、精度良く光源の光量を制御することが可能となる。精度良く光源の光量を制御することができるので、インクジェット記録装置の信頼性を向上することができる。また、精度良く光源の光量を制御することができるので、カチオン重合系インクのような比較的低出力の光源により硬化する硬化感度の高いインクの実用化を図ることができる。したがって、高出力の光源は必要ないので光源装置が長大化せず、インクジェット記録装置の小型化、製造コストの低減を図ることができる。
また、カバー７を採用したことにより、光量測定センサ側の汚れに依存する光源制御不調が生じても、大規模なメンテナンスを行うことなく迅速かつ簡便に良好な測定環境に復帰させる又は自動的に復帰することができるという効果がある。
また、インクジェットヘッド１とともに光源装置２を同じキャリッジに搭載するので、両者を一体的に省スペースに組み込むことができ、インクジェット記録装置の小型化が図られる。
【００４４】
〔第２の実施形態〕
次に、本発明の第２の実施形態につき、図３を参照して説明する。図３は本発明の第２の実施形態のインクジェット記録装置を示す断面図である。
【００４５】
図３に示すように本実施形態のインクジェット記録装置は、第１の実施形態と同様の手段（１（１ａ〜１ｄ），２（２ａ〜２ｅ），３，４，５,６，７，８）を有している。対応するものに同一の符号を用いる。
しかし、本実施形態のインクジェット記録装置は、第１の実施形態とは異なり、５つの光源装置２ａ〜２ｅを有しており、４つのインクジェットヘッド１ａ〜１ｄが５つの光源装置の間に１つずつ配置されている。これらを搭載したキャリッジが主走査方向Ａのうち図面上、左方向に移動する際には、インクジェットヘッド１ａにより記録媒体上に吐出されたインクに光源装置２ａにより紫外線を照射し、インクジェットヘッド１ｂにより記録媒体上に吐出されたインクに光源装置２ｂにより紫外線を照射し、インクジェットヘッド１ｃにより記録媒体上に吐出されたインクに光源装置２ｃにより紫外線を照射し、インクジェットヘッド１ｄにより記録媒体上に吐出されたインクに光源装置２ｄにより紫外線を照射する。これは、記録媒体上に着弾したインクに素早く紫外線を照射するために有効な構成である。
【００４６】
反対に、主走査方向Ａのうち図面上、右方向に移動する際には、インクジェットヘッド１ａにより記録媒体上に吐出されたインクに光源装置２ｂにより紫外線を照射し、インクジェットヘッド１ｂにより記録媒体上に吐出されたインクに光源装置２ｃにより紫外線を照射し、インクジェットヘッド１ｃにより記録媒体上に吐出されたインクに光源装置２ｄにより紫外線を照射し、インクジェットヘッド１ｄにより記録媒体上に吐出されたインクに光源装置２ｅにより紫外線を照射する。
以上のように本実施形態は往復において記録動作を行うタイプの記録装置である。片道のみで記録動作を行うタイプの記録装置の場合は両端の光源装置２ａ及び２ｅのうちいずれか一方が不要となる。
【００４７】
次ぎに本実施形態における光源制御動作につき説明する。
まず、インクジェットヘッド１ａ〜１ｄによる記録動作前、又は記録動作間において、順序は問わないが例えば、光源装置２ａを測定領域Ｄに移動させ、光源装置２ａに備えられた光源の光量を光量測定センサ３により測定可能な位置に配置する。第１の実施形態と同様に光源装置２ａ〜２ｅはインクジェットヘッド１ａ〜１ｄと同一のキャリッジに備えられており、このキャリッジを移動させることにより、以上の動作を行う。
次ぎに、光量測定センサ３により光源装置２ａに備えられた光源の光量を測定する。
【００４８】
同様にして、光源装置２ｂを測定領域Ｄに移動させ、光源装置２ｂに備えられた光源の光量を光量測定センサ３により測定可能な位置に配置し、光量測定センサ３により光源装置２ｂに備えられた光源の光量を測定する。
【００４９】
以下同様にして、光源装置２ｃ〜２ｅを順次測定領域Ｄに移動させ、光源装置２ｃ〜２ｅに備えられた光源の光量を順次光量測定センサ３により測定可能な位置に配置し、光量測定センサ３により光源装置２ｃ〜２ｅに備えられた光源の光量を順次測定する。
【００５０】
次ぎに、制御手段４は光量測定センサ３による光源装置２ａ〜２ｅに備えられる光源の測定結果を受けて、これに応じて光源装置２ａ〜２ｅに備えられた光源の光量をそれぞれ制御する。
その他、第１の実施形態と同様に実施する。
【００５１】
以上のように第２の実施形態においては、主走査方向Ａの異なる位置に光源が複数備えられる場合でも、インクジェットヘッド１を移動させるキャリッジに光源装置２ａ〜２ｅを搭載することによって構成した光源走査手段により、異なる光源を光量測定センサ３の測定領域Ｄに順次移動させることにより複数の光源の光量を光量測定センサ３が順次測定することとした。
したがって、異なる光源を同一の光量測定センサ３で測定するので、光量測定センサ３の個数を光源の数より少なくすることができ、装置の簡素化、小型化が図られる。
【００５２】
〔第３の実施形態〕
次に、本発明の第３の実施形態につき、図４を参照して説明する。図４は本発明の第３の実施形態のインクジェット記録装置を示すプラテン下面側から見た底面図である。
【００５３】
本実施形態は、上記第１の実施形態又は第２の実施形態に付加できる発明に関する。なお、図４は第２の実施形態に付加する場合について描いた。
上記第１の実施形態又は第２の実施形態においては主走査方向Ａに対して垂直な方向、すなわち記録媒体の搬送方向Ｈに、照射範囲がドット状の点光源１１が複数並んで設けられることが有効な場合がある。その場合が本実施形態である。これは、記録媒体の搬送方向に長く吐出口１０が多数並んで設けられる場合に対応するためである。すなわち、吐出口１０が記録媒体の搬送方向に多数並んで設けられる場合には、一つの点光源では、すべてのインクドットに紫外線を照射することができない。そのため、本実施形態では記録媒体の搬送方向に点光源１１を複数並べて設けている。ここで、記録媒体の搬送方向は図４上の矢印Ｅと同一である。
【００５４】
しかし、上記第１の実施形態又は第２の実施形態において説明したように、光源走査手段は主走査方向Ａにしか光源を移動できない。光源が方向Ｅについて異なる位置に複数設けられているため一つの光量測定センサ３では、すべての光源の光量を独立に測定することができない。すべての光源の光量を測定できるように、方向Ｅに光量測定センサ３を複数並べて設けると、光量測定センサ３の数が増大する。
そこで本実施形態においては、光量測定センサ３を方向Ｅに往復動作させる。
すなわち、光量測定センサ３を移動させることにより複数の光源を光量測定センサ３により順次測定する走査手段を設ける。詳しくは、光量測定センサ３を記録媒体の搬送方向Ｅに移動させることにより複数の光源を光量測定センサ３により順次測定する走査手段を設ける。これは周知の移動機構と駆動源と制御手段により構成できる。
【００５５】
次ぎに本実施形態における光源制御動作につき説明する。なお断面図は図３と同様である。
まず、インクジェットヘッド１ａ〜１ｄによる記録動作前、又は記録動作間において、順序は問わないが例えば、光源装置２ａを測定領域Ｄに移動させ、光源装置２ａに備えられた光源の光量を光量測定センサ３により測定可能な位置に配置する。第１の実施形態と同様に光源装置２ａ〜２ｅはインクジェットヘッド１ａ〜１ｄと同一のキャリッジに備えられており、このキャリッジを移動させることにより、以上の動作を行う。
次ぎに、光量測定センサ３を方向Ｅに移動させながら光源装置２ａに備えられた方向Ｅに並ぶ複数の光源１１の光量を順次測定する走査を行う。
【００５６】
同様にして、光源装置２ｂを測定領域Ｄに移動させ、光源装置２ｂに備えられた光源の光量を光量測定センサ３により測定可能な位置に配置し、光量測定センサ３を方向Ｅに移動させながら光源装置２ｂに備えられた方向Ｅに並ぶ複数の光源１１の光量を順次測定する走査を行う。
【００５７】
以下同様にして、光源装置２ｃ〜２ｅを順次測定領域Ｄに移動させ、光源装置２ｃ〜２ｅに備えられた光源の光量を順次光量測定センサ３により測定可能な位置に配置し、光量測定センサ３を方向Ｅに移動させながら光源装置２ｃ〜２ｅに備えられた方向Ｅに並ぶ複数の光源１１の光量を順次測定する走査を行う。
【００５８】
次ぎに、制御手段４は光量測定センサ３による光源装置２ａ〜２ｅに備えられる各光源１１の測定結果を受けて、これに応じて各光源１１の光量をそれぞれ制御する。
その他、第１の実施形態と同様に実施する。
【００５９】
したがって本実施形態によれば、主走査方向Ａ及び記録媒体の搬送方向Ｅのそれぞれについて異なる位置にある光源を同一の光量測定センサ３で測定するので、光量測定センサ３を単一とすることもでき、装置の簡素化、小型化が図られる。
【００６０】
〔第４の実施形態〕
次に、本発明の第４の実施形態につき、図５を参照して説明する。図５は本発明の第４の実施形態のインクジェット記録装置を示すプラテン下面側から見た底面図である。
【００６１】
図５に示すように本実施形態はラインヘッド方式の場合についてのものである。ラインヘッド方式の場合、インクジェットヘッド１は固定であるので、光源装置２も固定して設ける。
またラインヘッド方式の場合、光量測定センサ３を記録媒体の搬送方向Ｆに垂直な方向に、インクジェットヘッド１に設けられる吐出口１０が列を成す。さらに本実施形態においては第３の実施形態と同様の目的で吐出口１０の列に平行な方向Ｇに列を成すように複数の光源１１を光源装置２に設けた。また、第３の実施形態と同様の光量測定センサ３の簡素化の目的で、本実施形態においては、光量測定センサ３を方向Ｇに移動させることにより複数の光源を光量測定センサ３により順次測定する走査手段を設ける。これは周知の移動機構と駆動源と制御手段により構成できる。
【００６２】
図５に示すように、複数の光源装置２が設けられることなどにより、光源１１の矢印Ｇ方向の列が複数設けられる場合は、各列に対応して光量測定センサ３を１つずつ設け、以下の制御動作を同時に行う。記録媒体の搬送方向Ｆについて各光量測定センサ３は担当する列の光源の光量を測定可能な位置に配置されている。
なお、光量測定センサ３と光源１１との間にはプラテン６が配置される。以下の制御動作において光量測定が可能となるように、少なくともプラテン６の光源１１直下の部分を通光用の貫通孔又は透明部とする。ラインヘッド方式の場合、光源１１の位置は固定であるので、部分的に通光用の孔又は透明部を設けることでも光量測定を可能な状態とすることができる。
【００６３】
次ぎに本実施形態における光源制御動作につき説明する。
まず、インクジェットヘッド１による記録動作前、又は記録動作間において、各光量測定センサ３を方向Ｇに移動させながら各光源装置２に備えられた方向Ｇに並ぶ複数の光源１１の光量を順次測定する走査を行う。
【００６４】
次ぎに、制御手段４は各光量測定センサ３による各光源１１の測定結果を受けて、これに応じて各光源１１の光量をそれぞれ制御する。
その他、第１の実施形態と同様に実施する。
【００６５】
したがって本実施形態によれば、ラインヘッド方式のインクジェット記録装置において、異なる光源を同一の光量測定センサ３で測定するので、光量測定センサ３の個数を光源の数より少なくすることができ、装置の簡素化、小型化が図られる。
【００６６】
以上の第１〜第３の実施形態において、記録領域Ｂ内に測定領域を配置することもできる。その場合及び第４の実施形態においては、光源と光量測定センサ３との間に記録媒体が侵入していないときに光量の測定を行う。すなわち、ある記録媒体の後端が光源と光量測定センサ３との間を通過してから、次の記録媒体の前端が光源と光量測定センサ３との間に侵入するまでの間の期間において光量測定センサ３による光源の光量測定を行うことができる。
【００６７】
第１〜第３の実施形態において、光源の光量測定を行う時間間隔としては、上記実施形態によれば最小単位として画像形成の一走査毎に行うことができる。画像形成の一走査毎に行うなどこまめに光量測定を行えば、インクミストによる照射量の低下など比較的短期間の変化を即座に検知することができる。
印刷速度の低下が懸念される場合や、比較的長期の光量変化（例えば光量測定センサ３を含む電気系の劣化による光源の出力低下）を専ら問題としている場合には、装置起動時や紙間隔、印刷作業の指示が入力されるのを待っている待機時などを利用して光量測定を行う。併せて、予め設定された時間の経過を条件として光量測定を行っても良い。
もちろん、ユーザからの操作入力に基づき光量測定を行うように構成しても良い。この場合、ユーザは汚れたカバー７を交換した後に操作入力手段により操作入力してインクジェット記録装置に指示を与え、光量測定を行わせるという使い方ができる。これにより測定結果の信頼性が向上し、制御手段４による光量制御が適正化する。
【００６８】
次に、本発明の実施形態として採用可能な技術事項につき項を分けて説明する。
<射出量>
１ドットあたりの射出量は２ｐｌ（ピコリットル）〜２０ｐｌである。好ましくは４ｐｌ〜１０ｐｌである。１ドットあたり２０ｐｌを超えると高精細印字が難しく、また、１ドットあたり２ｐｌ未満では形成される画像の濃度が低くなってしまう。
【００６９】
<ドット径>
記録媒体上に形成されるドット径は５０μｍ〜２００μｍである。好ましくは５０μｍ〜１５０μｍであり、さらに好ましくは５５μｍ〜１００μｍである。５０μｍ未満では形成される画像の濃度が低くなってしまい、また、２００μｍよりも大きければ高精細印字が難しい。
【００７０】
<水及び有機溶媒を含有しない>
用いられるインクは、実質的に水及び有機溶媒を含有しないことが望ましい。実質的に含有しないとは、水及び有機溶媒の含有量が１重量％未満であることをいう。
【００７１】
<インクジェット方式>
インクジェットプリンタのインク吐出の駆動力として、インクに対しての適用範囲が広く、高速射出が可能な圧電体の圧電作用を利用する方式が好ましい。それは具体的には、例えば特公平４−４８６２２号に記載されるように、圧電性基体上に形成された微細な溝の内部に電極膜が形成され、さらに絶縁膜で覆われているインク流路とするインクジェットヘッド方式である。
【００７２】
<照射線源>
紫外線、電子線、Ｘ線、可視光、赤外光などを照射する様々な線源を用いることが可能であるが、硬化性、線源のコスト等を考慮すると、紫外線を照射する線源が好ましい。紫外線線源としては、水銀ランプ、メタルハライドランプ、エキシマーランプ、紫外線レーザー・ＬＥＤなどを用いることができる。
基本的な照射方法は、特開昭６０−１３２７６７号に開示されている。これによると、ヘッドユニットの両側に光源を設け、シャトル方式でヘッドと光源を走査する。照射はインク着弾後、一定時間をおいて行われることになる。さらに、駆動を伴わない別光源によって硬化を完了させる。ＷＯ９９５４４１５号では、照射方法として、光ファイバーを用いた方法や、コリメートされた光源をヘッドユニット側面に設けた鏡面に当て、記録部へＵＶ光を照射する方法が開示されている。本発明の実施形態として、これらの照射方法を用いることが可能である。
具体的には、帯状のメタルハライドランプ管、紫外線ランプ管が好ましい。線源は、実質的にインクジェットプリンタに固定化し、稼働部をなくすことで、安価な構成とすることが可能である。
照射は、各色の画像形成毎に行われることが好ましく、つまり、いずれの露光方式でも線源は２種用意し、第２の線源によって、硬化を完了させることが好ましい形態の１つである。これは、２色目の着弾インクの濡れ性、インク間の接着性を得ることと、線源を安価に組むことに寄与する。
なお第１の線源と、第２の線源とは露光波長または露光照度を変えることが好ましい。第１の線源の照射エネルギーを第２の線源の照射エネルギーより小さく、すなわち第１の線源の照射エネルギーを照射エネルギー総量の１〜２０％、好ましくは１〜１０％、さらに好ましくは１〜５％とする。照度を変えた照射を行うことで、硬化後の分子量分布が好ましいものとなる。つまり一度に高照度の照射を行ってしまうと、重合率は高められるものの、重合したポリマーの分子量は小さく、強度が得られない。
また、第１の線源の照射は、第２の線源の照射よりも長波長とすることで、第１の照射では、インクの表層を硬化させてインクの滲みを抑えられ、第２の照射では、照射線が届きにくい記録媒体近傍のインクを硬化させ、密着性を改善することができる。インク内部の硬化促進のためにも、第２の照射線波長は長波長であることが好ましい。
【００７３】
<照射タイミング>
上記インクを用い、一定温度にインクを加温するとともに、着弾から照射までの時間を０．０１〜０．５秒、好ましくは０．０１〜０．３秒、さらに好ましくは０．０１〜０．１５秒後に放射線を照射することすることができる。このように着弾から照射までの時間を極短時間に制御することにより、着弾インクが硬化前に滲むことを防止することが可能となる。また、多孔質な記録媒体に対しても光源の届かない深部までインクが浸透する前に露光することができるため、未反応モノマーの残留を抑えられ、臭気を低減できる。これは、高粘度のインクを用いることで大きな相乗効果をもたらすことになる。特に、２５℃におけるインク粘度が３５〜５００ｍＰａ・ｓのインクを用いると大きな効果を得ることができる。このような記録方法を取ることで、表面の濡れ性が異なる様々な記録媒体に対しても、着弾したインクのドット径を一定に保つことができ、画質が向上する。なお、カラー画像を得るためには、明度の低い色から順に重ねていくことが好ましい。明度の低いインクを重ねると、下部のインクまで照射線が到達しにくく、硬化感度の阻害、残留モノマーの増加及び臭気の発生、密着性の劣化が生じやすい。また、照射は、全色を射出してまとめて露光することが可能だが、一色毎に露光するほうが、硬化促進の観点で好ましい。
また、複数色のヘッドからなるユニットでは、各色間を実質的に照射線透過性とすることが好ましい。具体的には、照射線透過性の部材でヘッド間を構成するか、部材を配置させない構成である。このような簡単な構成とすることで、各色毎に、着弾直後、速やかに照射することが可能であり、特に二次色の滲み防止、双方向描画における、行きと帰りのドット滲み差を防止（行きと帰りの色が異なるのを防ぐ）できるため、好ましい。
【００７４】
<インク加熱、ヘッド温調>
上記インクを３０〜１５０℃に加熱し、インク粘度を下げて射出することが射出安定性の点で好ましい。さらに好ましくは４０〜１００℃である。３０℃以下及び１５０℃以上では、射出が困難になる。照射線硬化型インクは、概して水性インクより粘度が高いため、温度変動による粘度変動幅が大きい。粘度変動はそのまま液滴サイズ、液滴射出速度に大きく影響を与え、画質劣化を起こすため、インク温度をできるだけ一定に保つことが必要である。インク温度の制御幅は設定温度±５℃、好ましくは設定温度±２℃、さらに好ましくは設定温度±１℃である。インクジェットプリンタには、インク温度の安定化手段を備えるが、一定温度にする部位はインクタンク（中間タンクがある場合は中間タンク）からノズル射出面までの配管系、部材の全てが対象となる。
温度コントロールのため、温度センサーを各配管部位に複数設け、インク流量、環境温度に応じた加熱制御をすることが好ましい。また、加熱するヘッドユニットは、装置本体や外気からの温度の影響を受けないよう、熱的に遮断もしくは断熱されていることが好ましい。加熱に要するプリンタ立ち上げ時間を短縮するため、また熱エネルギーのロスを低減するために、他部位との断熱を行うとともに、加熱ユニット全体の熱容量を小さくすることが好ましい。
【００７５】
<インク吸収性のない記録媒体>
本発明の実施形態として、インク吸収性のない記録媒体ないしインク吸収性の低い記録媒体（あるいは、インク非吸収性記録媒体）を用いることができる。インク吸収性のない記録媒体ないしインク吸収性の低い記録媒体（あるいは、インク非吸収性記録媒体）とは、インク吸収性のない材料ないしインク吸収性の低い材料（あるいはインク非吸収性材料）からなる記録媒体、あるいはインク吸収性のない材料ないしインク吸収性の低い材料（あるいはインク非吸収性材料）からなる表面層（画像形成層）を有する記録媒体であり、インク吸収性のない材料ないしインク吸収性の低い材料（あるいはインク非吸収性材料）は、例えば各種の樹脂や金属である。
【００７６】
<粘度>
本発明の実施形態におけるインクは、３０℃での粘度が１０〜５００ｍＰａ・ｓの液体である。好ましくは、４０〜５００ｍＰａ・ｓが好ましい。１０ｍＰａ・ｓ未満では滲みが劣化、また５００ｍＰａ・ｓを超えると、画質の平滑性が失われる。また、このインクは６０℃で３〜３０ｍＰａ・ｓの液体であることが好ましく、より好ましくは、３〜２０ｍＰａ・ｓである。３ｍＰａ・ｓ以下では、高速射出に不具合を生じ、また３０ｍＰａ・ｓでは、射出性が劣化する。
【００７７】
【発明の効果】
本発明によれば、光源の光量を測定することが可能になり、インクを硬化させるために必要な光量が記録媒体上のインクに与えられる否か、予め検知することができ、しかも光量測定センサ側の汚れに依存する光源制御不調要因をカバーによって容易に払拭することができる結果、精度良く光源の光量を制御することが可能となる。精度良く光源の光量を制御することができるので、インクジェット記録装置の信頼性を向上することができるという効果がある。
また、精度良く光源の光量を制御することができるので、カチオン重合系インクのような比較的低出力の光源により硬化する硬化感度の高いインクの実用化を図ることができる。したがって、高出力の光源は必要ないので光源装置が長大化せず、インクジェット記録装置の小型化、製造コストの低減を図ることができるという効果がある。
また、カバーを採用したことにより、光量測定センサ側の汚れに依存する光源制御不調が生じても、大規模なメンテナンスを行うことなく迅速かつ簡便に良好な測定環境に復帰させる又は自動的に復帰することができるという効果がある。
【図面の簡単な説明】
【図１】本発明の第１の実施形態のインクジェット記録装置を示す断面図である。(a)(b)は互いに異なる動作時点を描いたものである。(c)はカバー移動装置の一例を示す断面図である。
【図２】制御手段による処理の一例を示すフローチャートである。
【図３】本発明の第２の実施形態のインクジェット記録装置を示す断面図である。
【図４】本発明の第３の実施形態のインクジェット記録装置を示すプラテン下面側から見た底面図である。
【図５】本発明の第４の実施形態のインクジェット記録装置を示すプラテン下面側から見た底面図である。
【符号の説明】
１…インクジェットヘッド  ２…光源装置  ３…光量測定センサ ４…制御手段 ５…表示手段（通知手段） ６…プラテン ７…カバー  ８…操作入力手段  ９…巻取り装置  １０…吐出口  １１…光源
【図１】
2004188929.tif 000003
【図２】
2004188929.tif 000004
【図３】
2004188929.tif 000005
【図４】
2004188929.tif 000006
【図５】
2004188929.tif 000007